(57)【要約】【課題】カメラと同一ケース内にある発光素子からの照射光が、カメラ本体に入り込み、画像を乱すことを防止する。【解決手段】カメラのレンズ周囲に、鍔状に広がる、薄肉の弾性素材で形成された遮蔽部材Ｆを配置し、カメラがケース内に収納されたとき、この遮蔽部材が、曲面状の窓９の内面に接触し、遮蔽部材Ｆと窓９との接触点を結ぶ線もしくは面が、カメラのレンズ周囲を隙間なく取り囲む状態となるようにした。【選択図】図３
2004159253.tif 000002
【特許請求の範囲】
【請求項１】
角度調整可能な状態で保持されたカメラと、前記カメラの撮影対象を照らす照明用光源とが、曲面状の窓を備えた同一ケース内に収納されているカメラにおいて、前記カメラのレンズの周囲に、鍔状に広がる、薄肉の弾性素材で形成された遮蔽部材を配置し、前記カメラがケース内に収納されたとき、前記遮蔽部材が、前記ケースの曲面状の窓の内面に接触し、遮蔽部材と窓との接触点を結ぶ線もしくは面が、カメラのレンズ周囲を隙間なく取り囲む状態となるようにしたことを特徴とする監視カメラ。
【発明の詳細な説明】
【０００１】
【発明の属する技術分野】
本発明は、防犯警報システムにおいて使用する監視カメラに関するものである。
【０００２】
【従来の技術】
従来より、監視を必要とする店舗や重要建造物等に監視カメラを設置し、この監視カメラから送られる映像を、監視室等に設置したモニターに表示し、これを監視員が常時監視したり、この映像を録画して保存するといった監視カメラシステムが用いられている。図１及び図２は、従来の監視カメラの断面図である。
【０００３】
１は、監視カメラであり、シャーシ２を備え、シャーシ２にはカメラユニット支持部３が形成されている。カメラユニット５は、それを構成するカメラ本体４を、垂直軸Ｙを中心に回転可能な状態で支持しており、カメラユニット５は、カメラユニット支持部３に水平軸Ｘを中心に回転可能な状態で支持されている。カメラユニット５の外周には複数の発光素子６が取り付けられており、カメラの撮影対象を照らすようになっている。カメラのレンズ周囲には、筒状の遮光部材７ａが取り付けられている。以上の構成物全体を覆うように、球面状のカバー８がシャーシ２に装着されている。
【０００４】
カメラ本体４は、レンズと、可視から赤外領域まで感度を有するＣＣＤ等から構成されている。発光素子６は赤外線を発光するＬＥＤから成り、夜間などの暗いときにこれを点灯し、監視エリアが明瞭に撮影できるようにしている。監視カメラを設置するときには、シャーシ２を天井か壁に取り付けて固定し、カバー８を取り外した状態でカメラの方向を調整する。カメラユニット５は、Ｘ軸を中心に回転し、カメラ本体４は、カメラユニット５内でＹ軸を中心に回転するので、必要な方向にカメラを向けることができる。カバー８を、カメラの方向決定後に装着し、取付作業が完了する。遮光部材７ａは、発光素子６から照射される赤外光がカバー８で反射し、カメラ本体４に入り込み、画像が不明瞭になるのを防止するために、設けられている。
【０００５】
また、図２に示すように、図１の遮光部材７ａの代わりに、カバー８に沿って所定の間隔をもって延びる遮光部材７ｂを用いる構成も考えられている。このような構成は、特開２００１−１４５００４号公報に開示されている。
【０００６】
【発明が解決しようとする課題】
しかしながら、上記のような監視カメラにおいて、監視エリア調整時に、カメラユニット５がＸ軸を中心に、カメラ本体４がＹ軸を中心に自由に回転することを考慮すると、カバー８の内面形状はその動きに合わせた形に限定される。つまり、図１の例において、常にカバー８と遮光部材７ａが線接触する状態を維持するため、また、図２の例において、カバー８と遮光部材７ｂが一定の間隔を維持されるようにするため、カバー８の内面の形は正確な球面に限定され、その球面の中心と、カメラの回転中心（Ｘ軸とＹ軸の交点）とを正確に一致させなくてはならない。このことは、精度の高い設計及び製造上の管理が必要となることを示している。以上のことから明らかなように、これらの構成を採用することができるのは、限られた形状の監視カメラにおいてだけである。カバー８は、樹脂成形品で製作することができ、その形状としては、デザイン上、いろいろなパターンが考えられるが、正確な球面という制約があるため、監視カメラ全体の意匠が限定されてしまうという問題がある。
【０００７】
【課題を解決するための手段】
本発明は、上記の課題を解決するため、カメラのレンズの周囲に、鍔状に広がる、薄肉の弾性素材で形成された遮蔽部材を配置し、カメラがケース内に収納されたとき、遮蔽部材が、ケースの曲面状の窓の内面に接触し、不用光が遮断されるようにしたものである。
【０００８】
【発明の実施の形態】
図３は、本発明の監視カメラの実施形態を示した断面図である。図１及び図２において説明した従来の監視カメラと、同等の働きをする部分には、同じ番号を付してある。監視カメラは、シャーシ２を備え、シャーシ２にはカメラユニット支持部３が形成されている。カメラユニット５は、それを構成するカメラ本体４を、垂直軸Ｙを中心に回転可能な状態で支持しており、カメラユニット５は、カメラユニット支持部３に、水平軸Ｘを中心に回転可能な状態で支持されている。カメラユニット５の外周には、複数の発光素子６が取り付けられており、カメラの撮影対象を照らすようになっている。カメラのレンズ周囲には、鍔状に広がる、薄肉の弾性素材で形成された遮蔽部材Ｆを配置し、カメラがケース内に収納されたとき、この遮蔽部材が、曲面状の窓９の内面に接触し、遮蔽部材Ｆと窓９との接触点を結ぶ線もしくは面が、カメラのレンズ周囲を隙間なく取り囲む状態となるようにした。
【０００９】
カメラ本体４は、レンズと、可視から赤外領域まで感度を有するＣＣＤ等から構成されている。発光素子６は赤外線を発光するＬＥＤから成り、夜間などの暗いときにこれを点灯し、監視エリアが明瞭に撮影できるようにしている。監視カメラを設置するときには、シャーシ２を天井か壁に取り付けて固定し、窓９を取り外した状態でカメラの方向を調整する。カメラユニット５は、Ｘ軸を中心に回転し、カメラ本体４は、カメラユニット５内でＹ軸を中心に回転するので、必要な方向にカメラを向けることができる。窓９を、カメラの方向決定後に装着し、取付作業が完了する。遮蔽部材Ｆは、発光素子６から照射される赤外光が窓９の内面で反射し、カメラ本体４に入り込み、画像を不明瞭にさせるのを防止する。
【００１０】
図４は、図３に示す実施形態における窓９装着前の遮蔽部材Ｆ付近の拡大断面図を示し、図５は図３に示す実施形態における窓９装着後の遮蔽部材Ｆ付近の拡大断面図を示す。遮蔽部材Ｆは、レンズの光軸を中心に放射状に広がる薄肉部を形成しており、窓９装着前には、この薄肉部は、窓９の内面の曲率よりも緩やかな曲率の形状になっている。窓９を装着すると、図５に示すように、薄肉部が弾性をもっているため、窓９に対して押し返そうとする力が働き、常に窓９に密着するようになる。そして、この遮蔽部材Ｆは、この薄肉部の弾性により、レンズの周り全体において隙間なく、窓９に接触する状態を作り出し、発光素子６からの光のレンズへの入射を阻止する。
【００１１】
遮蔽部材Ｆの代わりに、図６に示す形状の、遮蔽部材Ｇを使用することも可能である。薄肉の弾性素材で形成された遮蔽部材Ｇの薄肉部先端には、全周にわたり突起物が設けてあり、窓９を装着すると、弾性で窓９に対して押し返そうとする力が働き、常に突起物が確実に窓９に密着するようになる。遮蔽部材の形状は、上記説明の範囲に限定されるものではなく、常に窓と遮蔽部材が密着可能な構成であればどのような形であってもよい。また、遮蔽部材の素材も、黒色のゴムなどをはじめとして、光を透過させず、適度な弾性を備えているものであれば、どのようなものでもよい。
【００１２】
【発明の効果】
本発明によれば、遮蔽部材が、常に、カメラのレンズ周囲全域にわたり窓と密着するため、発光素子６から照射される光が、カメラ本体内に入り込むのを、完全に阻止することができる。このため、光源の虚像が画面内に表示されるといった、画像への悪影響がなくなり、画面の質の低下が防止される。また、窓９の曲率中心に対し、カメラ本体４及びカメラユニット５の回転中心がずれていても、遮蔽部材の弾性及びその大きさにより、ある程度余裕を持って、窓内面との接触を維持できるので、従来品のような、精度の高い設計や、製造上の管理が不用となる。このため、本発明は、多くの監視カメラにおいて採用することができ、その意匠上の自由度が高くなる。
【００１３】
【図面の簡単な説明】
【図１】従来の監視カメラの断面図である。
【図２】従来の監視カメラの断面図である。
【図３】本発明の監視カメラの実施形態を示した断面図である。
【図４】図３に示す実施形態における窓９装着前の遮蔽部材Ｆ付近の拡大断面図である。
【図５】図３に示す実施形態における窓９装着後の遮蔽部材Ｆ付近の拡大断面図である。
【図６】遮蔽部材の他の形状の実施例を示した図である。
【符号の説明】
１・・・監視カメラ
２・・・シャーシ
３・・・カメラユニット支持部
４・・・カメラ本体
５・・・カメラユニット
６・・・発光素子
７・・・遮光部材
８・・・カバー
９・・・窓
Ｆ・・・遮蔽部材
Ｇ・・・遮蔽部材
【図１】
2004159253.tif 000003
【図２】
2004159253.tif 000004
【図３】
2004159253.tif 000005
【図４】
2004159253.tif 000006
【図５】
2004159253.tif 000007
【図６】
2004159253.tif 000008